(57)【要約】【課題】その杭穴内の充填物の比重を測地することにより、その杭穴の固化強度を極めて短時間で推定できる。【解決手段】構築現場（Ｎ値４０の細砂）の杭穴に一定のセメントミルクを注入した試料から固まらない状態の比重と、試料の固化後の圧縮強度を測定して対応させる（図４）。図４に基づき、杭穴根固め部の必要圧縮強度を、比重に対応させる。続いて、杭穴を掘削して、根固め部内の掘削泥土をセメントミルクと置換する。置換されたセメントミルクを試料採取装置で採取して、地上に引き上げ比重を測定する。測定した比重が、予め設定した比重以下の場合には、杭穴内にセメントミルクを追加充填して撹拌混合して修正施工をする。【選択図】図４
2010222799.tif 000002
【特許請求の範囲】
【請求項１】
以下のような要件を具備して、掘削した杭穴内に、セメントミルク類を充填して、基礎杭を構築することを特徴とする基礎杭の構築方法。
(1) 掘削した杭穴内にセメントミルク類を充填し、該杭穴内の未だ固まる前の杭穴充填物を試料として採取して、地上にあげる。
(2) 地上で、前記試料の比重を測定し、比重により修正施工をする。
(3) 前記修正施工は、前記杭穴充填物の比重が、予め「設定した比重」より大きい場合には、そのまま後工程の施工をする。前記修正施工は、前記杭穴充填物の比重が、予め「設定した比重」より小さい場合には、前記杭穴内にセメントミルク類を充填し及び／又は撹拌して、その後、後工程を施工する。
【請求項２】
以下のような要件を具備したことを特徴とする請求項１記載の基礎杭の構築方法。
(1）根固め部の深さ方向に、複数箇所で試料を採取して、
(2) 各試料について、比重を測定して、前記試料の採取位置毎に、修正施工をする。
【請求項３】
以下のような要件を具備したことを特徴とする請求項１記載の基礎杭の構築方法。
(1）予め計測した施工現場のN値及び／又は地盤性状により、比重−圧縮強度の対応表を作成する。
(2) 前記対応表にしたがって、予め設定した圧縮強度から、予め「設定した比重」を設定する。
【請求項４】
以下のような要件を具備して、掘削した縦穴内に、セメントミルク類を充填して、セメントミルク柱体を構築することを特徴とするセメントミルク柱体の構築方法。
(1) 掘削した縦穴内にセメントミルク類を充填し、該縦穴内の未だ固まる前の縦穴充填物を試料として採取して、地上にあげる。
(2) 地上で、前記試料の比重を測定し、比重により修正施工をする。
(3) 前記修正施工は、前記縦穴充填物の比重が、予め設定した比重より大きい場合には、そのまま後工程の施工をする。
前記修正施工は、前記縦穴充填物の比重が、予め設定した比重より小さい場合には、前記縦穴内にセメントミルク類を充填し、及び／又は撹拌して、その後、後工程の施工をする。
【請求項５】
以下のような要件を具備したことを特徴とする杭穴内の試料採取装置。
(1)  側面に出入口を有する収容部の外側に蓋体を移動自在に取り付けて単位採取具を構成し、「密封状態」において前記出入口を塞ぐことできるように前記蓋体を構成し、「開放状態」において前記出入口と一致できる開口を前記蓋体に形成する。
(2) 前記単位採取具の収容部を取り外し可能に直列に連結し、前記各蓋体を前記収容部との相対位置を保った状態で連結する。
(3) 前記各蓋体は、地上からの操作で、「密封状態」又は「開放状態」を取ることができる。
【発明の詳細な説明】
【技術分野】
【０００１】
本発明は、まだ固まる前の杭穴充填物試料として採取して、その現場に見合った適切な配合に調節して杭穴充填物を構成することを特徴とした基礎杭の構築方法、同様に基礎杭に代わりセメントミルク柱体に応用するセメントミルク柱体の構築方法、この構築方法に使用する充填物採取用の治具に関する。
【背景技術】
【０００２】
支持地盤まで杭穴を掘削して、杭穴内に既製杭や鉄筋篭を設置して、基礎杭を構築する場合、支持地盤付近の杭穴充填物、いわゆる根固め液の固化強度が重要となっていた。この場合、当然、地上のプラントでは適切に配合したセメントミルクを所定量注入して、充分に撹拌混合し、あるいは泥水などと置換して、根固め液を構成していた。
【０００３】
この場合、地盤内深い所（場合によっては、５０ｍ以上）で行うものであり、種々の条件で、根固め液の品質が過剰になる場合や充分でない場合も生じ得る状態であった。
【０００４】
例えば、伏流水を考慮して配合したセメント系固化材や混和剤を使用する発明（特許文献１）、特殊な撹拌手段を持った掘削シャフトで根固め部内を撹拌する発明も提案されている（特許文献２）。
【先行技術文献】
【特許文献】
【０００５】
【特許文献１】特開平６−７３７２９号公報
【特許文献２】特開２００３−２７８１５７号公報
【特許文献３】特開平７−１４３９号公報
【発明の概要】
【発明が解決しようとする課題】
【０００６】
前記特許文献１、２では、配合を決めて根固め部にセメントミルクを充填しているが、充填後の根固め部で、どのような配合になっているか、伏流水が予想以上に多い場合など、考慮されていなかった。これは、セメントミルクを充填後に固まる前の試料を採取しても固化させて、１週強度で４週強度を予想することはできても、根固め部内で、固まる前（セメントの固化反応が進行する前）に対策することができなかった。
【０００７】
また、余剰ソイルセメントから生じる再利用液を使用して新たなセメントミルクを提供するプラントの提案もあり、この中で再利用液の粘性、比重、固形分濃度を検出する提案も成されている（特許文献３）。しかし特許文献３では、計測した再利用液のデータをどのように適用するかについては、具体化されていない。
【０００８】
また、このような課題は、支持地盤だけでなく、セメント系固化材を使用する地盤改良柱を形成する工法においても同様の問題点があった。すなわち、注入するセメント系固化材と実際に注入した状態で、地盤内でどのような配合となっているか検討されていなかった。
【課題を解決するための手段】
【０００９】
本発明は、未だ固まる前の杭穴充填物の比重を測定することにより、その杭穴充填物の固化強度を予想して、適正な強度となるように再充填等適切な処理をすることができる。
【００１０】
即ちこの発明は、以下のような要件を具備して、掘削した杭穴内に、セメントミルク類を充填して、基礎杭を構築することを特徴とする基礎杭の構築方法である。  
(1) 掘削した杭穴内にセメントミルク類を充填し、該杭穴内の未だ固まる前の杭穴充填物を試料として採取して、地上にあげる。  
(2) 地上で、前記試料の比重を測定し、比重により修正施工をする。  
(3) 前記修正施工は、前記杭穴充填物の比重が、予め「設定した比重」より大きい場合には、そのまま後工程の施工をする。前記修正施工は、前記杭穴充填物の比重が、予め「設定した比重」より小さい場合には、前記杭穴内にセメントミルク類を充填し及び／又は撹拌して、その後、後工程を施工する。
【００１１】
また、前記において、以下のような要件を具備したことを特徴とする基礎杭の構築方法である。  
(1）根固め部の深さ方向に、複数箇所で試料を採取して、
(2) 各試料について、比重を測定して、前記試料の採取位置毎に、修正施工をする。
【００１２】
また、前記において、以下のような要件を具備したことを特徴とする基礎杭の構築方法である。  
(1）予め計測した施工現場のN値及び／又は地盤性状により、比重−圧縮強度の対応表を作成する。  
(2) 前記対応表にしたがって、予め設定した圧縮強度から、予め「設定した比重」を設定する。
【００１３】
また、他の発明は、以下のような要件を具備して、掘削した縦穴内に、セメントミルク類を充填して、セメントミルク柱体を構築することを特徴とするセメントミルク柱体の構築方法である。  
(1) 掘削した縦穴内にセメントミルク類を充填し、該縦穴内の未だ固まる前の縦穴充填物を試料として採取して、地上にあげる。  
(2) 地上で、前記試料の比重を測定し、比重により修正施工をする。  
(3) 前記修正施工は、前記縦穴充填物の比重が、予め設定した比重より大きい場合には、そのまま後工程の施工をする。  
前記修正施工は、前記縦穴充填物の比重が、予め設定した比重より小さい場合には、前記縦穴内にセメントミルク類を充填し、及び／又は撹拌して、その後、後工程の施工をする。
【００１４】
また、他の発明は、以下のような要件を具備したことを特徴とする杭穴内の試料採取装置である。  
(1)  側面に出入口を有する収容部の外側に蓋体を移動自在に取り付けて単位採取具を構成し、「密封状態」において前記出入口を塞ぐことできるように前記蓋体を構成し、「開放状態」において前記出入口と一致できる開口を前記蓋体に形成する。  
(2) 前記単位採取具の収容部を取り外し可能に直列に連結し、前記各蓋体を前記収容部との相対位置を保った状態で連結する。  
(3) 前記各蓋体は、地上からの操作で、「密封状態」又は「開放状態」を取ることができる。
【００１５】
前記におけるセメントミルク類は、水とセメントとを主成分とした液体で、杭穴内の掘削泥土が混入したソイルセメントなども含む。
【００１６】
また、基礎杭は、掘削した杭穴内に既製杭を埋設する場合、既製杭を埋設しつつ杭穴を掘削する中掘工法、掘削した杭穴内に鉄筋篭を埋設する工法などのいずれの工法にも適用できる。
【発明の効果】
【００１７】
この発明は、杭穴や縦穴内のセメントミルク類を充填した基礎杭やセメントミルク柱体で、杭穴又は縦穴内の充填物を採取して、比重を測定するだけで、その杭穴で、短い時間で固化強度を推定できる。したがって、予め設定した固化強度に対して、測定した比重が適切で無い場合には、杭穴や縦穴内でのセメントの固化反応に影響を与えることなく、杭穴や縦穴内へのセメントミルクの再充填や撹拌など適切な修正施工という対応策をとって、予め設定した固化強度を具備する基礎杭やセメントミルク柱を構築できる。
【００１８】
また、その深さで試料を採取できる単位採取具の収容部を取り外し可能に直列に連結してなる試料採取具を使って、杭穴又は縦穴内の充填物を採取して比重を測定すれば、深さ毎に適切な修正施工ができ、基礎杭やセメントミルク柱の品質をより高めることができる。
【図面の簡単な説明】
【００１９】
【図１】この発明の試料採取装置で、（ａ）は正面図、（ｂ）は底面図、（ｃ）は縦断面図である。
【図２】試料採取装置の作動を表す縦断面図で、（ａ）は第１状態（封鎖）、（ｂ）は第２状態（開放）を表す。
【図３】他の実施形態の試料採取装置の作動を表す縦断面図で、（ａ）は第１状態（封鎖）、（ｂ）は第２状態（開放）、（ｃ）は第３状態を表す。
【図４】比重−圧縮強度の実験グラフで、Ｎ値４０の細砂の地盤の例を表す。
【図５】比重−圧縮強度の実験グラフで、Ｎ値５０の細砂の地盤の例を表す。
【図６】比重−圧縮強度の実験グラフで、Ｎ値３０のシルト質砂岩の地盤の例を表す。
【図７】比重−圧縮強度の実験グラフで、Ｎ値３〜５のシルトの地盤の例を表す。
【発明を実施するための形態】
【００２０】
（１）  一般的に、掘削して、セメントミルクを注入した状態で、根固め部に存在する物質としの比重は、
・セメント  ３．１〜３．２
・土        １．５〜１．７
・砂        １．８〜２．０
・砂利      １．８〜２．０
・水        １．０
となる。したがって、根固め部内の掘削泥土をセメントミルクと置換した場合には、その他何らかの不純物の存在があっても、セメントより比重は小さいと考えられ、比重を規定する物質は、水と砂・砂利となり、Ｎ値のみ、地盤性状のみ、またはＮ値及び地盤性状  によって区分けした施工現場毎の「比重−圧縮強度」の対応データを用意すれば、比重に基づき、固化圧縮強度を推定できる。
【００２１】
（２）  したがって、セメントミルクを注入した状態で、未だ固化反応が始まる前、または固化反応の初期段階で、試料を採取して、直ぐに修正施工できる。
【００２２】
（３）  施工現場における実験によれば、Ｎ値４０で地盤性状：細砂の地盤では、図４のような「比重−圧縮強度」のグラフになる。この場合、比重Xの場合の圧縮強度Yの近似式は、
［ｙ］＝（２２２．４６）×［Ｘ］−３５４．８５
となる。  
また、Ｎ値５０で地盤性状：細砂の地盤では、図５のような「比重−圧縮強度」のグラフになり、この場合、比重Xの場合の圧縮強度Yの近似式は、
［ｙ］＝（１６７．４７）×［Ｘ］−２５９．９５
となる。  
また、Ｎ値３０で、地盤性状：シルト質砂岩の地盤では図６のような「比重−圧縮強度」のグラフになり、この場合、比重Xの場合の圧縮強度Yの近似式は、
［ｙ］＝（９１．５４８）×［Ｘ］−１５２．７６
となる。  
また、Ｎ値３〜５で、地盤性状：シルトの地盤では、図７のような「比重−圧縮強度」のグラフになり、この場合、比重Xの場合の圧縮強度Yの近似式は、
［ｙ］＝（４．７０２８）×［Ｘ］−７．０８２８
となる。
【００２３】
（４）  したがって、施工現場におけるＮ値と地盤性状毎のデータを予め用意すれば、その条件に合う杭穴充填物を採取して比重を測定すれば、その根固め部の固化圧縮強度を推定できる。また、採取した試料を固化させて圧縮強度を測定して、測定した比重データと合わせて、「比重−圧縮強度」データを補充することもできる。
【００２４】
（５）  比重を測定するために杭穴から試料を採取する試料採取装置２０は例えば、以下のような構成とする。密封された筒体の上部側壁に出入口２を形成し、上下端にフランジ３、３を形成して、収容部１を形成する。開口７を形成した蓋体５を収容部１の外周に、上下移動可能に取り付けて、単位採取具１０とする（図３）。単位採取具１０の上端に、上端連結部１２、下端に先細の先端金具１４を取り付ける。単位採取具１０の蓋体５に、地上まで伸びる連結ロッド１７、１７を着脱自在に連結して、試料採取装置２０とする（図３）。試料採取装置２０は常時は、第１位置にあり、蓋体５の側壁で収容部１の出入口２が塞がれている（図３（ａ））。
【００２５】
（６）  この採取装置２０を使った施工方法は以下のように行う。杭穴２４を掘削して、杭穴の底２４（根固め部）にセメントミルクを注入して撹拌混合して、ソイルセメントを形成する。続いて、引き上げた掘削ロッド２２の先端に試料採取装置２０を取り付けて、第１位置のまま、掘削ロッド２２を下降させて試料採取装置２０を杭穴２４内に下降し、試料採取装置２０を杭穴底２５に設置する（図３（ｂ））。したがって、第１位置の試料採取装置２０は、出入口２が塞がれているので、ソイルセメントは収容部１内に入らない。  
続いて、地上から連結ロッド１７、１７を引き上げ、蓋体５を上昇させて、開口７と収容部１の出入口２を一致させ、杭穴２４内のソイルセメントが収容部１内に取り込む（図３（ｂ）。第２状態）。続いて、連結ロッド１７、１７を押し上げて、蓋体５の下部側壁で出入口２を塞ぐ（第３位置）。この状態で、試料採取装置２０を掘削ロッド２２と共に地上に引きあげ、収容部１の出入口２からソイルセメントを取り出して比重を測定する。  
この測定した比重を、前記図４〜図７を使って推定圧縮強度に変換して、予め設定された根固め部の圧縮強度と比較検討する。また、前記図４〜図７を使って、予め設定された根固め部の圧縮強度を比重値に変換して、この必要比重値と測定した比重値を比較する。  
上記比較により測定比重値が低い値の場合には、適切な修正施工をして、後工程を施工する。
【実施例１】
【００２６】
この発明の試料採取装置の実施例について説明する。
【００２７】
（１）  上下が塞がれた筒体の上部側壁に円形の出入口２を形成し、筒体の上端及び下端に接合用のフランジ３、３を形成して、収容部１を形成する。  
収容部１の外周に薄肉の円筒からなる蓋体５を被せる。蓋体５には、出入口２と連通できる開口７を形成し、収容部１に対して上下動可能に取り付けられ、以下のような、第１位置、第２位置をとれるように形成する。  
・第１位置：出入口２を蓋体５の内面で塞いだ状態で、収容部１内の収容物が漏れないように密封できる（密封状態）。  
・第２位置：出入口２と開口７が一致して、収容部内に収容物を出し入れできる状態である（開放状態）。  
以上のようにして、単位採取具１０を構成する（図１）。
【００２８】
（２）  ３つの単位採取具１０、１０を、フランジ３、３同士をボルト・ナットで連結して、長さ方向に直列に連結する。最上に位置する単位採取具１０の上端に、掘削ロッド２２と連結するための上端連結部１２を取り付ける。また、最下に位置する単位採取具３の下端には、杭穴底に安定させるための先端金具１４を取り付ける。先端金具１４は、三角形の板を組み合わせてなり先端が尖った（細径）に形成される。  
連結した単位採取具１０、１０で、上方に位置する単位採取具１０の蓋体５の下端部と下方に位置する単位採取具１０の蓋体５の上端部を連結ロッド１６、１６で着脱容易に連結する。また、最上に位置する単位採取具１０の蓋体５の上端部に、地上まで伸びる連結ロッド１７、１７を着脱自在に連結する。連結ロッド１６、１７の昇降操作（上下動）により各単位採取具１０、１０の蓋体５、５が同時に昇降できるようになっている。
【００２９】
（３）  以上のようにして、試料採取装置２０を構成する（図１）。この実施例では、単位採取具１０の長さＬを１ｍとしてあり、各出入口２、２の上下方向の間隔が１ｍで設定され、杭穴２４内で、１ｍ間隔で３箇所から試料を採取できるように形成されている（図１）。また、先端金具１４が杭穴２４の底２５に至った状態で、出入口２が杭穴の底２５から１ｍとなるように設定されている。
【００３０】
（４）他の実施例
【００３１】
前記実施例において、長さＬの同一の単位採取具１０を３つ連結したが、採取したい状況に応じて、連結数、長さＬの設定を自由に設定でき、異なる長さＬの単位採取具１０を連結することもできる（図示していない）。
【００３２】
また、前記実施例において、第２位置から蓋体５を下降させて、第１位置に戻して、密封状態を確保したが、更に蓋体５を上昇させて第３位置で密封状態とすることもできる（図３（ｃ）参照）。
【００３３】
また、前記実施例において、蓋体５は上下に移動して、第１位置及び第２位置を設定したが、回動して、第１位置及び第２位置をとるように構成することもできる（図示していない）。
【００３４】
また、前記実施例において、蓋体５は筒状として、収容部１の全周を塞ぐ形状としたが、少なくとも出入口を塞ぐ面積を有すれば、板状など形状は任意である（図示していない）。
【００３５】
また、前記実施例において、収容部１は円筒としたが、角柱など形状は任意であり、収容部１の形状に応じて、蓋体５の形状を設定する（図示していない）。
【実施例２】
【００３６】
次ぎに、前記実施例の試料採取装置２０を使って、この発明の基礎杭の構築方法を説明する。
【００３７】
（１）  Ｎ値５０、地盤性状＝細砂、を支持地盤とする基礎杭の構築について説明する。ここで、設定した根固め部の充填物の固化強度を１５Ｎ／ｍｍ２  と設定する。
【００３８】
（２）  予めN値５０と地盤性状＝細砂、の地盤で実験により、比重−圧縮強度の対応実験を行い、対応表からグラフして、Ｎ値５０の細砂の地盤のグラフを作成しておく（図４）。このグラフから、比重Xの場合の圧縮強度Yの近似式は、
［ｙ］＝（１６７．４７）×［Ｘ］−２５９．９５
となる。したがって、必要な比重値は１．６４２となる。
【００３９】
（３）  従来の方法により、支持地盤に到達する根固め部を有する杭穴を掘削して、杭穴内にセメントミルクを充填して、根固め部内の掘削泥土と置換する。ここで、充填するセメントミルクは、地上で作成したプラントから生成した、根固め部に充填する。セメントミルクの配合は、例えば、水セメント比  ６０％  として、設定される。
【００４０】
（４）  掘削泥土がセメントミルクに置換されたならば、試料採取装置２０を掘削ロッド２２の先端に固定して、速やかに杭穴２４内に挿入する。この場合、通常掘削に使用している掘削ロッド２２のヘッドを外して、試料採取装置２０を取り付ければ良いので、現場対応が容易である。  
試料採取装置２０を第１位置に設定して、蓋体５の側壁の上部で出入口２を塞ぐ。試料採取装置２０を杭穴２４内に挿入して（図２（ａ））、根固め部の底（杭穴の底）２５まで挿入する。根固め部の底２５では、先端金具１４が差し込まれ、試料採取装置２０を安定して支持できる。また、この状態で連結ロッド１７、１７は地上まで伸びている（図示していない）。
【００４１】
（５）  続いて、連結ロッド１７、１７を地上から操作して、掘削ロッド２２は位置を保った状態で（すなわち、収容部１、１も位置を保つ）、連結ロッド１７を引き上げ、連結ロッド１６、１６、蓋体５、５を上昇させて、蓋体５の開口７と出入口２を一致させ、第２位置（開放状態）とする。この状態で、根固め部の底２５から１ｍ、２ｍ、３ｍの各地点での根固め部内の充填液を収容部１内に採取する（図２（ｂ））。
【００４２】
（６）  採取が完了したならば、再び連結ロッド１７、１７を操作して、押し下げ、再び第１位置に戻す。この状態で、速やかにかつ、根固め部（杭穴２４）内の充填物を乱さないように、試料採取装置２０を掘削ロッド２２と共に地上に引きあげる。  
なお、連結ロッド１７、１７を押し下げで第１位置に戻したが、第２位置からさらに連結ロッド１７、１７を引いて蓋体５の下部の側壁で出入口２を塞ぐこともできる（図３（ｃ）参照）。
【００４３】
（７）  地上に引き上げた試料採取装置２０を、そのまま第２状態として、各単位採取具１０の収容部１、１から試料を取り出し、比重を計測する。また、各単位採取具１０を一旦、フランジ３，３で分離して作業をすることもできる。  
上記試料採取装置で採取した試料の比重が
・杭穴の底２５から１ｍの試料：比重１．６７５
・杭穴の底２５から２ｍの試料：比重１．６６４
・杭穴の底２５から３ｍの試料：比重１．６４５
であった場合、底２５から２ｍの地点で、予め設定した比重１．６４１より小さな値であり、この部分で、固化強度が不足する可能性がある。その一方で、底２５から１ｍ、３ｍの比重は充分に高いことから、撹拌を充分におこなえば、設計通りの根固め部を構築できると評価できる。  
杭穴の深さにもよるが、深度１５ｍであれば、セメントミルクを充填して、この評価を下すまで、通常は６０分程度で完了でき、根固め部のセメントの固化反応の進行に支障が無い。  
したがって、根固め部を充分撹拌しつつ、杭穴２４内に既製杭を埋設して、基礎杭を構築する（図示していない）。
【００４４】
（８）  また、同じ現場で、他の杭穴２４では、上記試料採取装置２０で採取した試料の比重が
・杭穴２４の底２５から２ｍの試料：比重１．６７１
・杭穴の底２５から２ｍの試料：比重１．６６６
・杭穴の底２５から３ｍの試料：比重１．６３２
であった場合、底２５から３ｍの地点で、予め設定した比重１．６４１  より小さな値であり、この部分で、固化強度が不足する可能性がある。また、底２５から１ｍ、２ｍの比重の適度であった場合には、杭穴底２５から３ｍの付近を補強する必要があると評価できる。  
したがって、この場合には、杭穴２４の底２５から３ｍの付近にセメントミルクを再充填しつつ、充分に撹拌し既製杭を埋設して基礎杭を構築する（図示していない）。
【符号の説明】
【００４５】
１  収容部
２  出入口
３  フランジ
５  蓋体
７  開口
１０  単位採取具
１２  上端連結部
１４  先端金具
１６  連結ロッド（中間）
１７  連結ロッド（上端）
２０  試料採取装置
２２  掘削ロッド
２４  杭穴
２５  杭穴底
【図１】
2010222799.tif 000003
【図２】
2010222799.tif 000004
【図３】
2010222799.tif 000005
【図４】
2010222799.tif 000006
【図５】
2010222799.tif 000007
【図６】
2010222799.tif 000008
【図７】
2010222799.tif 000009